【手続補正書】
【提出日】平成30年3月1日(2018.3.1)
【手続補正１】
【補正対象書類名】明細書
【補正対象項目名】発明の名称
【補正方法】変更
【補正の内容】
【発明の名称】眼科情報処理システム、画像処理装置、および画像処理方法
【手続補正２】
【補正対象書類名】明細書
【補正対象項目名】０００１
【補正方法】変更
【補正の内容】
【０００１】
本発明は、眼科装置により撮影された眼科画像、および解析データを処理する眼科情報処理システム、画像処理装置、および画像処理方法に関するものである。
【手続補正３】
【補正対象書類名】明細書
【補正対象項目名】０００６
【補正方法】変更
【補正の内容】
【０００６】
本発明の目的の一つは、上記の課題を解決し、ユーザが、眼科装置により撮影して得た被検眼の撮影画像、および該撮影画像を解析して得られる解析データを確認することにより該被検眼を診断する際に、診断効率を向上させることが可能な眼科情報処理システム、画像処理装置、および画像処理方法を提供することである。
【手続補正４】
【補正対象書類名】明細書
【補正対象項目名】０００７
【補正方法】変更
【補正の内容】
【０００７】
上記目的を達成するために、本発明の一態様に係る眼科情報処理システムは、
眼科装置により被検者の被検眼を撮影して得た撮影画像と前記被検者の識別情報とが関連付けられた検査データを取得する検査データ取得手段と、
前記撮影画像を解析して解析データを取得する解析処理手段と、
前記検査データおよび前記解析データの少なくとも一部を表示手段に表示させる際の表示レイアウトおよび表示項目を予め定めたテンプレートと、前記テンプレートに従って表示手段に表示させる前記検査データおよび前記解析データの一部のデータを抽出する抽出条件と、を記憶する記憶手段と、
前記検査データおよび前記解析データを表示手段に表示させるための第１のモードと、前記抽出条件に応じて抽出された一部のデータを表示手段に表示させるための第２のモードと、のいずれかを選択する操作入力手段と、
前記第２のモードが選択された場合に、前記抽出された一部のデータと、前記記憶手段から読み出された前記第２のモードに対応したテンプレートの前記表示レイアウトおよび前記表示項目とを対応させて表示手段に表示させる表示制御手段と、
を有することを特徴とする。
また、上記目的を達成するために、本発明の他の態様に係る眼科情報処理システムは、
眼科装置により被検者の被検眼を撮影して得た撮影画像と前記被検者の識別情報とが関連付けられた検査データを取得する検査データ取得手段と、
前記撮影画像を解析して解析データを取得する解析処理手段と、
前記検査データおよび前記解析データを表示手段に表示させるための第１のモードと、前記検査データおよび前記解析データの一部のデータを表示手段に表示させるための第２のモードと、のいずれかを選択する操作入力手段と、
前記第２のモードが選択された場合に、前記一部のデータと前記第２のモードに対応する表示レイアウトおよび表示項目とを対応させて表示手段に表示させる表示制御手段と、
を有することを特徴とする。
【手続補正５】
【補正対象書類名】特許請求の範囲
【補正対象項目名】全文
【補正方法】変更
【補正の内容】
【特許請求の範囲】
【請求項１】
眼科装置により被検者の被検眼を撮影して得た撮影画像と前記被検者の識別情報とが関連付けられた検査データを取得する検査データ取得手段と、
前記撮影画像を解析して解析データを取得する解析処理手段と、
前記検査データおよび前記解析データの少なくとも一部を表示手段に表示させる際の表示レイアウトおよび表示項目を予め定めたテンプレートと、前記テンプレートに従って表示手段に表示させる前記検査データおよび前記解析データの一部のデータを抽出する抽出条件と、を記憶する記憶手段と、
前記検査データおよび前記解析データを表示手段に表示させるための第１のモードと、前記抽出条件に応じて抽出された一部のデータを表示手段に表示させるための第２のモードと、のいずれかを選択する操作入力手段と、
前記第２のモードが選択された場合に、前記抽出された一部のデータと、前記記憶手段から読み出された前記第２のモードに対応したテンプレートの前記表示レイアウトおよび前記表示項目とを対応させて表示手段に表示させる表示制御手段と、
を有することを特徴とする眼科情報処理システム。
【請求項２】
前記抽出条件は、特定の疾病の影響が顕在化して現れる際の前記検査データおよび前記解析データにおける影響の大きさに基づいて定められることを特徴とする請求項１に記載の眼科情報処理システム。
【請求項３】
前記抽出条件は、特定の疾病の影響が顕在化して現れる際の前記検査データおよび前記解析データに影響を及ぼす疾病の数に基づいて定められることを特徴とする請求項１に記載の眼科情報処理システム。
【請求項４】
眼科装置により被検者の被検眼を撮影して得た撮影画像と前記被検者の識別情報とが関連付けられた検査データを取得する検査データ取得手段と、
前記撮影画像を解析して解析データを取得する解析処理手段と、
前記検査データおよび前記解析データを表示手段に表示させるための第１のモードと、前記検査データおよび前記解析データの一部のデータを表示手段に表示させるための第２のモードと、のいずれかを選択する操作入力手段と、
前記第２のモードが選択された場合に、前記一部のデータと前記第２のモードに対応する表示レイアウトおよび表示項目とを対応させて表示手段に表示させる表示制御手段と、
を有することを特徴とする眼科情報処理システム。
【請求項５】
前記解析処理手段で得られる前記解析データには、少なくとも緑内障解析データおよび乳頭解析データの何れかを含み、
前記第２のモードに対応したテンプレートは、前記検査データとして、少なくとも左右眼の緑内障解析データ、左右眼の乳頭解析データ、および左右眼の眼底画像の何れかを一画面上に表示するための前記表示レイアウトおよび前記表示項目を予め定めたテンプレートであることを特徴とする請求項１乃至４の何れか一項に記載の眼科情報処理システム。
【請求項６】
前記緑内障解析データは、神経線維層、神経節細胞層、および内網状層の厚さを加えた厚さについての厚さマップであって、
前記表示制御手段は、前記厚さマップにおいて正常眼データとしての厚さとの比較の結果を色で表示することを特徴とする請求項５に記載の眼科情報処理システム。
【請求項７】
前記乳頭解析データは、視神経乳頭の周辺を円形状にスキャンして得られる断層画像であり、
前記表示制御手段は、前記視神経乳頭の周囲の網膜神経線維層厚データと、正常眼データとしての厚さとの比較の結果を表示することを特徴とする請求項５に記載の眼科情報処理システム。
【請求項８】
前記正常眼データとの比較において、前記比較の結果が前記正常眼データに関する統計的データにおける一般値の範囲外であるか否かを判定する正常眼データ範囲外判定手段を有し、
前記判定の結果が範囲外の場合に、前記表示制御手段は前記表示手段に前記判定の結果が前記正常眼データの一般値の範囲外であることの警告表示を行わせることを特徴とする請求項６又は７に記載の眼科情報処理システム。
【請求項９】
前記正常眼データ範囲外判定手段は、撮影時に得られるフォーカス位置情報をもとに前記判定を行うことを特徴とする請求項８に記載の眼科情報処理システム。
【請求項１０】
同一の被検者の検査日の異なる複数の前記検査データを取得する手段と、
前記同一の被検者の前記複数の検査データに基づいて個人正常眼データを生成する手段と、
前記正常眼データを前記個人正常眼データに切り替える手段と、を有し、
前記正常眼データの前記個人正常眼データへの切り替えが行われた場合に、前記個人正常眼データに基づく一般値を用いて前記判定を行うことを特徴とする請求項８又は９に記載の眼科情報処理システム。
【請求項１１】
前記表示制御手段は、前記検査日の異なる複数の検査データから得られた解析データを前記表示手段において表形式で表示させることを特徴とする請求項１０に記載の眼科情報処理システム。
【請求項１２】
眼科装置により被検者の被検眼を撮影して得た撮影画像と前記被検者の識別情報とが関連付けられた検査データを取得する検査データ取得手段と、
前記撮影画像を解析して解析データを取得する解析処理手段と、
前記検査データおよび前記解析データを表示手段に表示させるための第１のモードと、所定の抽出条件に応じて前記検査データおよび前記解析データから抽出された一部のデータを表示手段に表示させるための第２のモードと、のいずれかを選択する操作入力手段と、
前記第２のモードが選択された場合に、前記抽出された一部のデータと前記第２のモードに対応する表示レイアウトおよび表示項目とを対応させて表示手段に表示させる表示制御手段と、
を有することを特徴とする画像処理装置。
【請求項１３】
眼科装置により被検者の被検眼を撮影して得た撮影画像と前記被検者の識別情報とが関連付けられた検査データを取得する検査データ取得手段と、
前記撮影画像を解析して解析データを取得する解析処理手段と、
前記検査データおよび前記解析データを表示手段に表示させるための第１のモードと、前記検査データおよび前記解析データの一部のデータを表示手段に表示させるための第２のモードと、のいずれかを選択する操作入力手段と、
前記第２のモードが選択された場合に、前記一部のデータと前記第２のモードに対応する表示レイアウトおよび表示項目とを対応させて表示手段に表示させる表示制御手段と、
を有することを特徴とする画像処理装置。
【請求項１４】
眼科装置により被検者の被検眼を撮影して得た撮影画像と前記被検者の識別情報とが関連付けられた検査データを取得する検査データ取得工程と、
前記撮影画像を解析して解析データを取得する解析処理工程と、
前記検査データおよび前記解析データを表示手段に表示させるための第１のモードと、所定の抽出条件に応じて前記検査データおよび前記解析データから抽出された一部のデータを表示手段に表示させるための第２のモードと、のいずれかを選択する操作入力工程と、
前記第２のモードが選択された場合に、前記抽出された一部のデータと前記第２のモードに対応する表示レイアウトおよび表示項目とを対応させて表示手段に表示させる表示制御工程と、を含むことを特徴とする画像処理方法。
【請求項１５】
眼科装置により被検者の被検眼を撮影して得た撮影画像と前記被検者の識別情報とが関連付けられた検査データを取得する検査データ取得工程と、
前記撮影画像を解析して解析データを取得する解析処理工程と、
前記検査データおよび前記解析データを表示手段に表示させるための第１のモードと、前記検査データおよび前記解析データの一部のデータを表示手段に表示させるための第２のモードと、のいずれかを選択する操作入力工程と、
前記第２のモードが選択された場合に、前記一部のデータと前記第２のモードに対応する表示レイアウトおよび表示項目とを対応させて表示手段に表示させる表示制御工程と、を含むことを特徴とする画像処理方法。
【請求項１６】
請求項１４又は１５に記載の画像処理方法の各工程をコンピュータに実行させることを特徴とするプログラム。